(57)【特許請求の範囲】
【請求項１】
上面に吸い込み口が設けられ、下面に吹き出し口が設けられたファンフィルタユニットを、天井板の下方に隙間を空けて吊り下げたファンフィルタユニットの取り付け構造であって、
前記ファンフィルタユニットの上方において、前記天井板に取付板が設けられ、
前記ファンフィルタユニットが、前記取付板にブラケットを介して吊り下げられ、
前記ファンフィルタユニットの周囲を囲んで多孔板が配置され、
前記多孔板は、上方に向かってファンフィルタユニットの外側に広がるように傾斜し、
前記取付板の周囲が、前記多孔板の上部内周面で覆われ、
前記多孔板の下端は、前記ファンフィルタユニットの周面に隙間無く接していることを特徴とする、ファンフィルタユニットの取り付け構造。
【請求項２】
前記ファンフィルタユニットは直方体形状の箱型であり、前記ファンフィルタユニットの下面は、前記多孔板の下端よりも下方に突出していることを特徴とする、請求項１に記載のファンフィルタユニットの取り付け構造。
【請求項３】
前記多孔板は、前記ファンフィルタユニットの上面近傍の高さでの孔の密度が、前記ファンフィルタユニットの上面から離れた高さでの孔の密度に比べて高いことを特徴とする、請求項１または２に記載のファンフィルタユニットの取り付け構造。
【発明の詳細な説明】
【技術分野】
【０００１】
本発明は、室の天井板に吊り下げられるファンフィルタユニットの取り付け構造に関する。
【背景技術】
【０００２】
フアンフイルタユニットは、一般には、特開２００７−３１５７０８号公報（特許文献１）のように、室の天井部に縦横に渡された天井フレームに支持される。また、研究施設や病院のような乱流クリーンルームでは、美感上天井ボードなどの天井板が貼られた施設にファンフィルタユニットが設置されることもある。この場合、特開２００１−１１６３１０号公報（特許文献２）のように、例えば天井板の下にファンフィルタユニットが垂下される形で設置される。
【０００３】
一方、特開２００１−１１６３１０号公報（特許文献２）に示されたファンフィルタユニットは、上方から吸い込む構造となっており、乱流クリーンルームを採用する施設では建築費の低廉化が求められるため、建物の階高、天井裏の高さを抑えたいとの要請がある。そこで、実公平３−４０３３４号公報（特許文献３）のように、側方から吸い込む方式のファンフィルタユニットが採用される。なお、天井隠蔽型のパッケージエアコンのように、天井板に吸込口と吹出口を設け、側方吸込方式のファンフィルタユニットにダクト接続することも考えられるが、前記制気口から立ち上がるダクトとファンフィルタユニットの高さ分の天井裏の高さを確保しなければならず、前記要請に応えられない。また天井裏には各種配線や配管を渡す必要があるが、ファンフィルタユニットを設置するとこれを迂回して敷設する必要に迫られる。さらに側方吸込方式のファンフィルタユニットを天井材に接して設けることは、構造上またモータの保守等の関係から不可能である。
【先行技術文献】
【特許文献】
【０００４】
【特許文献１】特開２００７−３１５７０８号公報
【特許文献２】特開２００１−１１６３１０号公報
【特許文献３】実公平３−４０３３４号公報
【発明の概要】
【発明が解決しようとする課題】
【０００５】
建物の階高、天井裏の高さを抑えたいとの要請に応えて、側方から吸い込む方式のファンフィルタユニットを室内に機器全体を露出させて設置しようとした場合、天井板とファンフィルタユニットの隙間（すなわちファンフィルタユニットの上面）に微粒子などが集積された埃が溜まるといった問題がある。この埃は、ファンフィルタユニットの停止後の再起動の際や地震のときのように機器周辺に振動が生じた場合に、清浄域とされる室内に落下することが懸念される。
【０００６】
本発明は、かかる点に鑑みてなされたものであり、ファンフィルタユニットの上面に集積された埃が室内に落下する心配の無い取り付け構造を提供するものである。
【課題を解決するための手段】
【０００７】
前記の目的を達成するため、本発明によれば、上面に吸い込み口が設けられ、下面に吹き出し口が設けられたファンフィルタユニットを、天井板の下方に隙間を空けて吊り下げたファンフィルタユニットの取り付け構造であって、前記ファンフィルタユニットの上方ににおいて、前記天井板に取付板が設けられ、前記ファンフィルタユニットが、前記取付板にブラケットを介して吊り下げられ、前記ファンフィルタユニットの周囲を囲んで多孔板が配置され、前記多孔板は、上方に向かってファンフィルタユニットの外側に広がるように傾斜し、前記取付板の周囲が、前記多孔板の上部内周面で覆われ、前記多孔板の下端は、前記ファンフィルタユニットの周面に隙間無く接していることを特徴とする、ファンフィルタユニットの取り付け構造が提供される。
【０００８】
この取り付け構造にあっては、ファンフィルタユニットの停止後の再起動の際や地震のときのように機器周辺に振動が生じた場合に、ファンフィルタユニットの上面に集積された埃が落下しても、ファンフィルタユニットの周囲を囲んで配置されている多孔板により受け取られる。このため、ファンフィルタユニットの上面から落下した埃が、清浄域とされる室内に落下する心配が無い。
【０００９】
この取り付け構造において、前記ファンフィルタユニットは直方体形状の箱型であり、前記ファンフィルタユニットの下面は、前記多孔板の下端よりも下方に突出していても良い。また、前記多孔板は、前記ファンフィルタユニットの上面近傍の高さでの孔の密度が、前記ファンフィルタユニットの上面から離れた高さでの孔の密度に比べて高くなっていても良い。
【発明の効果】
【００１０】
本発明によれば、ファンフィルタユニットの上面に集積された埃が室内に落下する心配の無い、清浄な環境を提供することができる。
【図面の簡単な説明】
【００１１】
【図１】本発明の実施の形態にかかるファンフィルタユニットの取り付け構造を示す縦断面図である。
【図２】ファンフィルタユニットの下面である。
【図３】ファンフィルタユニットの上面近傍の高さでは孔の密度が高く、離れた高さでは孔の密度が低くなっている多孔板の部分拡大図である。
【発明を実施するための形態】
【００１２】
以下、本発明の実施の形態について説明する。図１に示すように、居室、執務室、各種作業空間、クリーンルームなどの室の天井板１の下方に、隙間を空けてファンフィルタユニット（以下「ＦＦＵ」という）２が取り付けられる。天井板１は、例えば、クリーンルームの壁パネルと同様のサンドイッチパネルが採用される。珪酸カルシウム等の天井ボードでも良い。ＦＦＵ２は直方体形状の箱型であり、ＦＦＵ２の内部には、ファン１０とフィルタ１１が装着されている。ＦＦＵ２の上面１２には、吸い込み口１３が設けられ、下面１４には、吹き出し口１５が設けられている。ＦＦＵ２の周面１６は、閉塞されている。ＦＦＵ２は、ファン１０の稼動により、ＦＦＵ２の上面１２の吸い込み口１３から、ＦＦＵ２の内部に空気を吸い込み、フィルタ１１でろ過して清浄な空気を、ＦＦＵ２の下面１４の吹き出し口１５から室の内部に給気する構成である。
【００１３】
ＦＦＵ２の上面１２の四隅には、ブラケット２０が取り付けてある。ＦＦＵ２の上方には、天井板１に取付板２１が設けられており、この取付板２１に、ブラケット２０の上部が、ボルト２２とナット２３によって取り付けられている。取付板２１には、例えば厚さ１．６ｍｍの焼付塗装された鋼板が採用される。こうして、ＦＦＵ２は、室の天井板１の下方に隙間を空けて、取付板２１、ブラケット２０を介して吊り下げられている。
【００１４】
取付板２１は、ＦＦＵ２の上面１２よりも大きい面積の長方形状を有しており、ＦＦＵ２を下から見た状態では、取付板２１の周縁は、ＦＦＵ２の周面１６よりも外側にはみ出ている。（但し実際には、図２に示すように、ＦＦＵ２を下から見ても、取付板２１の周縁は、多孔板３０で隠れて見えない。）取付板２１の周縁には、下方に垂直に折り曲げられた壁部２５が形成されている。
【００１５】
ＦＦＵ２の周囲には、多孔板３０が配置されている。多孔板３０は、例えば厚さ１．６ｍｍの焼付塗装されたパンチグメタルなどで構成され、多孔板３０には、多数の孔３１が分布して設けられている。このため、多孔板３０は通気性を有しており、室の内部の空気が、多孔板３０の孔３１を通過して、ＦＦＵ２の上方に容易に移動することが可能である。
【００１６】
多孔板３０は、ＦＦＵ２の外周全体を囲むように配置されており、多孔板３０の下端３２は、ＦＦＵ２の周面１６に隙間無く接している。多孔板３０は、上方に向かってＦＦＵ２の下面に近い周面１６から次第に離れて外側に広がるように傾斜して設けられている。多孔板３０の上部３３の内周面は、取付板２１の周縁に形成された壁部２５を、外側から覆うように密着されている。このため、室の内部の空気は、多孔板３０の孔３１を必ず通過した後、ＦＦＵ２の上方に移動する。なお、多孔板３０の上部３３は取付板２１の壁部２５に対して、外側からビス止め等で容易に固定することができる。また、多孔板３０の下端３２とＦＦＵ２の周面１６との間は、ガスケットを介して隙間無く接した状態とすると良い。
【００１７】
以上のように構成された本発明の実施の形態にかかるＦＦＵ２の取り付け構造において、ＦＦＵ２に内蔵されたファン１０の稼動により、室の内部の空気が、多孔板３０の孔３１を通過して、ＦＦＵ２の上方に引き込まれる。そして、ＦＦＵ２の上面１２の吸い込み口１３から、ＦＦＵ２の内部に空気が吸い込まれて、フィルタ１１でろ過された清浄な空気が、ＦＦＵ２の下面１４の吹き出し口１５から室の内部に給気される。こうして、室の空調が行われる。
【００１８】
一方、以上のような空調運転を継続して行うと、ＦＦＵ２の上面１２に微粒子などの埃が次第に溜まっていく。こうしてＦＦＵ２の上面１２に溜まった埃は、ＦＦＵ２の停止後の再起動の際や地震のときのように機器周辺に振動が生じた場合に、ＦＦＵ２の上面１２から周囲に落下することが懸念される。
【００１９】
しかるに、本発明の実施の形態にかかるＦＦＵ２の取り付け構造によれば、ＦＦＵ２の上面１２に集積された埃が落下しても、ＦＦＵ２の周囲を囲んで配置されている多孔板３０により受け取られる。そして、多孔板３０で受け取られた埃は、そのまま多孔板３０の下部内面とＦＦＵ２の周面１６との間に保持され、室内には落下しない。なお、ＦＦＵ２の稼働中に室の内部の空気と一緒に多孔板３０の孔３１を通過してＦＦＵ２の上方に引き込まれたが、ＦＦＵ２の上面１２に集積されなかった埃も、多孔板３０の下部内面とＦＦＵ２の周面１６との間に保持されることになる。
【００２０】
こうして、室内への埃の落下が回避され、室内が清浄な状態に保たれることになる。なお、従来はＦＦＵ２の上面１２に埃が溜まることを避けるために、ＦＦＵ２の吸い込み口１３から外側に長いダクトを延出させたり、または、ＦＦＵ２の上面１２の外側に板材を延出させることも考えられていた。しかしながら、このようなダクトや板材を延出させるためには、新たな資材を必要とし、美観上からも採用しがたい。本発明は、そのような新たな資材を必要とせず、美観上も違和感のない取り付け構造を提供できる。
【００２１】
また、室の天井板１から取付板２１を介してＦＦＵ２が取り付けられているため、フィルタ１１の交換時や、多孔板３０の下部内面とＦＦＵ２の周面１６との間に溜まった埃を清掃する際に、天井板１に直接負荷がかかることがなく、天井板１の破損を防止できる。また、ＦＦＵ２を取付板２１に固定することによって、天井板１からしっかりとＦＦＵ２を吊り下げることができる。また、取付板２１はＦＦＵ２で発生する振動や歪などを吸収する緩衝材として機能する。
【００２２】
以上、本発明の好ましい実施の形態の一例を説明したが、本発明は図示の形態に限定されない。例えば、図３に示すように、ＦＦＵ２の周囲に配置される多孔板３０は、ＦＦＵ２の上面１２の近傍の高さでは孔３１の密度が高く、ＦＦＵ２の上面１２から離れた高さでの孔３１の密度が低くなっていても良い。
【００２３】
ＦＦＵ２の上面１２から離れた高さでの孔３１の密度を低くすることにより、ＦＦＵ２の稼働中に室の内部からＦＦＵ２の上方に進入する埃の量を減らすことができる。また、特に多孔板３０の下部の孔３１の密度を低くすることにより、多孔板３０の下部内面とＦＦＵ２の周面１６との間に保持された埃が室内に落下することを確実に防止できる。また、多孔板３０の上部と下部の孔３１の密度を低くすることにより、ＦＦＵ２の周面１６や取付板２１の壁部２５に対する多孔板３０の取り付け作業が容易になる。
【００２４】
その他、取付板２１の壁部２５に取り付けられる多孔板３０の上部３３や、ＦＦＵ２の周面１６に接する多孔板３０の下端３２では、多孔板３０をフランジ状に折り込むことにより、壁部２５やＦＦＵ２の周面１６に多孔板３０を密着させることができる。なお、厚みのある台板などを利用して、壁部２５やＦＦＵ２の周面１６に多孔板３０を密着させるフランジ部を形成しても良い。また、多孔板３０の下端３２をＦＦＵ２の周面１６に密着させるために、多孔板３０を板バネ材としても良い。
【産業上の利用可能性】
【００２５】
本発明は、各種空間の空調設備に有用である。
【符号の説明】
【００２６】
１  天井板
２  ファンフィルタユニット（ＦＦＵ）
１０  ファン
１１  フィルタ
１２  上面
１３  吸い込み口
１４  下面
１５  吹き出し口
１６  周面
２０  ブラケット
２１  取付板
２５  壁部
３０  多孔板
３１  孔
【図１】
0005433361.tif 000002
【図２】
0005433361.tif 000003
【図３】
0005433361.tif 000004